(57)【要約】【課題】防水性を有する合成樹脂製の外生地の側縁に布製内生地を内側にし、双方の側縁をダムを除いて縫合した外側布と、吸水性を有する内生地とメッシュ状の外生地とから形成される内側布を、開口部を除いて縫合した発明は、股部側へ尿が漏れる恐れは少ないが、洗濯時に乾燥しにくい。又、紙おむつは使用後の焼却処理やゴミとして廃棄するとき公害となっている。【解決手段】防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５及び外側布１と内側布４が縫合されていない開口部６及び７を除いて一体的に縫合し、ダム部５と内側布４の空間から、開口部６若しくは開口部７から吸水材８を挿入した。【選択図】　図２
2004016679.tif 000002
【特許請求の範囲】
【請求項１】
防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５を除いて一体的に縫合し、ダム部５と内側布４の空間から、綿シート又は吸水性ポリマー等の吸水材８を挿入して成る尿取りパッド。
【請求項２】
防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５及び外側布１と内側布４が縫合されていない開口部６及び開口部７を除いて一体的に縫合し、ダム部５と内側布４の空間から、又は開口部６若しくは開口部７から綿シート又は吸水性ポリマー等の吸水材８を挿入して成る尿取りパッド。
【請求項３】
防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５及び外側布１と内側布４が縫合されていない開口部６又は開口部７を除いて一体的に縫合し、ダム部５と内側布４の空間から、又は開口部６若しくは開口部７から綿シート又は吸水性ポリマー等の吸水材８を挿入して成る尿取りパッド。
【発明の詳細な説明】
【０００１】
【発明の属する技術分野】
本発明は尿取りパッドに関する。
【０００２】
【従来の技術】
出願人が先に提出した特願２００１ー２３３０１４号に係る尿取り介護用品は、吸水性を有する布製内生地の側縁を、防水性を有する合成樹脂製の外生地の側縁に布製内生地を内側にし且つ、外生地の長手方向に襞を付すと共に襞の端縁に被覆布をかがり縫いして形成したダムを除き縫合することにより外側布を形成し、吸水性を有する内生地と、メッシュ状の外生地とから形成される内側布を、外側布の一方の端縁又は双方の端縁を除き、縫合されていない前記ダムの内側縁と一体に縫合し、縫合されていない開口部をポケットとして、そのポケットに、水溶性袋に封入した吸水性を有する尿取り吸収材を挿入している。
【０００３】
【発明が解決しようとする課題】
特願２００１ー２３３０１４号に係る発明は、防水性を有する合成樹脂製の外生地の側縁に布製内生地を内側にし、双方の側縁をダムを除いて縫合した外側布と、吸水性を有する内生地と、メッシュ状の外生地とから形成される内側布をポケットを除いて縫合しているため、股部側へ尿が漏れる恐れは少ないが、ポケット以外は開放されておらず、洗濯時に乾燥しにくい。
【０００４】
更に、尿取り介護用品として紙おむつを利用しているのが現状であり、使い捨てであると共に使用後のものを高温焼却処理を要することや、商品の単価が高い等の問題点がある。
【０００５】
【課題を解決するための手段】
防水性を有する合成樹脂材製の外側布に、メッシュ状の高吸水性を有する布製の外生地の端縁と、吸水性を有する布製の内生地の端縁とを縫合して形成した内側布を、外側布で形成するダム部を除いて一体的に縫合し、或はダム部以外にも外側布と内側布が縫合されていない開口部及び開口部を除いて、若しくは一方の開口部を除いて一体的に縫合し、ダム部と内側布の空間から、綿シート又は吸水性ポリマー等の吸水材を挿入し、又は開口部から綿シート又は吸水性ポリマー等の吸水材を挿入することにより、尿が外部へ漏れる恐れがなく且つ、洗濯時に乾燥し易く再利用できる尿取りパッドを提供することを目的とする。
【０００６】
【発明の実施の形態】
図１は請求項１に係る尿取りパッドを展開した状態の正面図　図２は請求項２に係る尿取りパッドを展開した状態の背面図、図３は請求項３に係る尿取りパッドを展開した状態の背面図、図４は図１におけるＡ−Ａ断面図、図５は開口部から或はダム部から挿入する綿シート又は吸水性ポリマー等の吸水材を示す正面図である。
【０００７】
請求項１に係る発明は、防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５を除いて一体的に縫合し、外側布１に襞を設けて形成したダム部５と内側布４の空間から綿シート又は吸水性ポリマー等の吸水材８を挿入して成るものである。
【０００８】
請求項２に係る発明は、防水性を有する合成樹脂材製の外側布１に、メッシュ状の高吸水性を有する布製の外生地２の端縁と、吸水性を有する布製の内生地３の端縁とを縫合して形成した内側布４を、外側布１で形成するダム部５及び外側布１と内側布４が縫合されていない開口部６及び開口部７を除いて一体的に縫合し、ダム部５と内側布４の空間から、又は開口部６若しくは開口部７から綿シート又は吸水性ポリマー等の吸水材８を挿入して成るものである。
【０００９】
請求項３に係る発明は、開口部６を片側にのみ設けたものであり、勿論、開口部７を片側にのみ設けることもできる。
【００１０】
尚、ダム部５には伸縮性に富む縁布９をかがり縫いしている。
【００１１】
更に、尿が少量の場合は、綿シート又は吸水性ポリマー等の吸水材８を挿入する必要がない。
【００１２】
【発明の効果】
外側布１に、メッシュ状の高吸水性を有する外生地２と、吸水性を有する布製の内生地３とから形成される内側布４を空間を保持して縫合し、開口部６又は開口部７から、或はダム部５の空間から吸水材８を挿入しているため尿を確実に吸収でき且つ、外側布１が防水性を有していることと、ダム部５が形成されていることの相乗作用で尿が外部へ漏れる恐れがない。
【００１３】
開口部６又は開口部７から、或はダム部５から吸水材８を挿入できるため使い勝手が良い。
【００１４】
又、股部から本発明品を取り外し、そのまま洗濯すると、吸水材８が開口部６及び開口部７から、又は一方の開口部６若しくは開口部７から、或はダム部５に形成される空間から流出し、一々、吸水材８を取り外して洗濯する手間を要しない。水溶性を有する高分子ポリマーシートは溶解して消失し残滓がない。
【００１５】
外側布１と内側布４は、開口部６及び開口部７と、開口部６若しくは開口部７と、ダム部５とから形成される空間が広いため洗濯時に乾燥が早く、迅速に再使用できる。
【図面の簡単な説明】
【図１】請求項１に係る尿取りパッドを展開した状態の正面図。
【図２】請求項２に係る尿取りパッドを展開した状態の背面図。
【図３】請求項３に係る尿取りパッドを展開した状態の背面図。
【図４】図１におけるＡ−Ａ断面図。
【図５】開口部或はダム部から挿入する綿シート又は吸水性ポリマー等の吸水材を示す正面図。
【符号の説明】
１　外側布　２、　外生地　３、　内生地　４　内側布
５　ダム部　６　７、　開口部　　８　吸水材
【図１】
2004016679.tif 000003
【図２】
2004016679.tif 000004
【図３】
2004016679.tif 000005
【図４】
2004016679.tif 000006
【図５】
2004016679.tif 000007